(57)【要約】【課題】所定量の水を配合することにより、環境安全性に優れる一方、優れた洗浄性および乾燥性を発揮することができ、かつ、取扱い容易性に優れた所定の曇点を有する洗浄剤組成物を得ることができる洗浄剤組成物用原液、それを用いてなる洗浄剤組成物および洗浄方法を提供する。【解決手段】洗浄剤組成物用原液１００重量部に対して、所定量の水を添加した場合に、所定の曇点を有する洗浄剤組成物となる洗浄剤組成物用原液等であって、有機溶剤として、第１および第２の有機溶剤を含むとともに、第１の有機溶剤が、下記一般式（１）で表される化合物であり、第２の有機溶剤が、Ｎ，Ｎ−ジエチルイソプロパノールアミンである。（一般式（１）中、Ｒ1〜Ｒ3は、それぞれ独立した置換基であり、Ｒ1は炭素数１〜４のアルキル基であり、Ｒ2はエチレン基またはイソプロピレン基であり、Ｒ3は炭素数１〜３のアルキル基であり、繰り返し数ｎは１〜３の整数である。）【選択図】図２
2019031690.tif 000002
【特許請求の範囲】
【請求項１】
洗浄剤組成物用原液１００重量部に対して、４０〜１９００重量部の範囲内の水を添加した場合に、３０〜６０℃の範囲内の曇点を有する洗浄剤組成物となる洗浄剤組成物用原液であって、
有機溶剤として、第１および第２の有機溶剤を含むとともに、
前記第１の有機溶剤が、下記一般式（１）で表される化合物であり、
前記第２の有機溶剤が、Ｎ，Ｎ−ジエチルイソプロパノールアミンであるとともに、
前記第２の有機溶剤の配合量を、前記第１の有機溶剤１００重量部に対して、０．１〜１００重量部の範囲内の値とすることを特徴とする洗浄剤組成物用原液。
【化１】
2019031690.tif 000028
（一般式（１）中、Ｒ1〜Ｒ3は、それぞれ独立した置換基であり、Ｒ1は炭素数１〜４のアルキル基であり、Ｒ2はエチレン基またはイソプロピレン基であり、Ｒ3は炭素数１〜３のアルキル基であり、繰り返し数ｎは１〜３の整数である。）
【請求項２】
前記第１の有機溶剤の沸点を１４０〜１９０℃の範囲内の値とするとともに、水への溶解度（測定温度：２０℃）を２０重量％を超えた値とすることを特徴とする請求項１に記載の洗浄剤組成物用原液。
【請求項３】
前記第１の有機溶剤のＳＰ値を６．５〜１２の範囲内の値とするとともに、前記第２の有機溶剤のＳＰ値を８〜１５の範囲内の値とすることを特徴とする請求項１または２に記載の洗浄剤組成物用原液。
【請求項４】
前記第１の有機溶剤が、ジエチレングリコールジエチルエーテルおよびジプロピレングリコールジメチルエーテル、あるいはいずれか一方であることを特徴とする請求項１〜３のいずれか一項に記載の洗浄剤組成物用原液。
【請求項５】
第３の有機溶剤として、下記一般式（２）で表される化合物および下記一般式（３）で表される化合物、あるいはいずれか一方を含むとともに、当該第３の有機溶剤の配合量を、前記第１の有機溶剤１００重量部に対して、０〜２００重量部（但し、０重量部は含まない。）の範囲内の値とすることを特徴とする請求項１〜４のいずれか一項に記載の洗浄剤組成物用原液。
【化２】
2019031690.tif 000029
（一般式（２）中、Ｒ4〜Ｒ5は、それぞれ独立した置換基であり、Ｒ4は炭素数１〜５のアルキル基であり、Ｒ5はエチレン基またはイソプロピレン基であり、繰り返し数ｍは１〜３の整数である。）
【化３】
2019031690.tif 000030
（一般式（３）中、Ｒ6は水素原子またはメチル基である。）
【請求項６】
沸点が１９０℃を超えた値である有機溶剤の配合量を、前記第１の有機溶剤１００重量部に対して、０重量部、または０〜１５重量部（但し、０重量部は含まない。）の範囲内の値とすることを特徴とする請求項１〜５のいずれか一項に記載の洗浄剤組成物用原液。
【請求項７】
水を含むとともに、当該水の配合量を、前記第１の有機溶剤１００重量部に対して、１〜２５重量部の範囲内の値とすることを特徴とする請求項１〜６のいずれか一項に記載の洗浄剤組成物用原液。
【請求項８】
洗浄剤組成物用原液１００重量部に対して、４０〜１９００重量部の範囲内の水を添加してなる、３０〜６０℃の範囲内の曇点を有する洗浄剤組成物であって、
前記洗浄剤組成物用原液が、有機溶剤として第１および第２の有機溶剤を含むとともに、
前記第１の有機溶剤が、下記一般式（１）で表される化合物であり、
前記第２の有機溶剤が、Ｎ，Ｎ−ジエチルイソプロパノールアミンであるとともに、
前記第２の有機溶剤の配合量を、前記第１の有機溶剤１００重量部に対して、０．１〜１００重量部の範囲内の値とすることを特徴とする洗浄剤組成物。
【化４】
2019031690.tif 000031
（一般式（１）中、Ｒ1〜Ｒ3は、それぞれ独立した置換基であり、Ｒ1は炭素数１〜４のアルキル基であり、Ｒ2はエチレン基またはイソプロピレン基であり、Ｒ3は炭素数１〜３のアルキル基であり、繰り返し数ｎは１〜３の整数である。）
【請求項９】
洗浄剤組成物用原液１００重量部に対して、４０〜１９００重量部の範囲内の水を添加し、３０〜６０℃の範囲内の曇点を有する洗浄剤組成物を準備する洗浄剤組成物準備工程と、
得られた洗浄剤組成物を、当該洗浄剤組成物の曇点以上の温度に維持しつつ、白濁状態にて、被洗浄物を洗浄する洗浄工程と、を含む洗浄方法であって、
前記洗浄剤組成物用原液が、有機溶剤として第１および第２の有機溶剤を含むとともに、
前記第１の有機溶剤が、下記一般式（１）で表される化合物であり、
前記第２の有機溶剤が、Ｎ，Ｎ−ジエチルイソプロパノールアミンであるとともに、
前記第２の有機溶剤の配合量を、前記第１の有機溶剤１００重量部に対して、０．１〜１００重量部の範囲内の値とすることを特徴とする洗浄方法。
【化５】
2019031690.tif 000032
（一般式（１）中、Ｒ1〜Ｒ3は、それぞれ独立した置換基であり、Ｒ1は炭素数１〜４のアルキル基であり、Ｒ2はエチレン基またはイソプロピレン基であり、Ｒ3は炭素数１〜３のアルキル基であり、繰り返し数ｎは１〜３の整数である。）
【発明の詳細な説明】
【技術分野】
【０００１】
本発明は洗浄剤組成物用原液、洗浄剤組成物および洗浄方法に関し、特に、所定量の水を添加することにより、環境安全性に優れる一方、優れた洗浄性および乾燥性を発揮することができ、かつ、取扱い容易性に優れた所定の曇点を有する洗浄剤組成物を得ることができる洗浄剤組成物用原液、それを用いてなる洗浄剤組成物および洗浄方法に関する。
【背景技術】
【０００２】
従来、ＩＣやコンデンサ等の電子部品をプリント基板等にハンダ付けする際に、ハンダペーストからフラックスが飛散し、電極の周囲に残渣として付着することが知られている（以下、かかるフラックスの残渣を「フラックス残渣」と称する。）。
かかるフラックス残渣は、ハンダ接合部における腐食等の原因となるほか、ワイヤボンディング工程での接合不良や、樹脂封止工程におけるモールド樹脂との密着不良等の原因となることから、洗浄剤で除去する必要があり、従来、種々の洗浄剤が提案されている。
特に近年、比較的多量の水を含むことにより環境安全性に優れる一方、優れた洗浄性を発揮できる洗浄剤組成物が提案されている（例えば、特許文献１〜２参照）。
【０００３】
すなわち、特許文献１には、洗浄剤組成物用原液１００重量部に対して、５０〜１９００重量部の水を含むとともに、白濁状態にて、被洗浄物を洗浄するための洗浄剤組成物であって、洗浄剤組成物用原液が、有機溶剤として、少なくとも第１および第２の有機溶剤を含むとともに、第１の有機溶剤が、沸点が１４０〜１９０℃の範囲内の値であって、水への溶解度（測定温度：２０℃）が５０重量％以下の値である疎水性グリコールエーテル化合物、疎水性炭化水素化合物、疎水性芳香族化合物、疎水性ケトン化合物、および、疎水性アルコール化合物からなる群から選択される少なくとも一種の化合物であって、第２の有機溶剤が、沸点が１４０〜１９０℃の範囲内の値であって、水への溶解度（測定温度：２０℃）が５０重量％を超えた値である親水性アミン化合物であり、第２の有機溶剤の配合量を、第１の有機溶剤１００重量部に対して、０．３〜３０重量部の範囲内の値とし、さらに第３の有機溶剤として、沸点が１４０〜１９０℃の範囲内の値であって、水への溶解度（測定温度：２０℃）が５０重量％を超えた値である親水性グリコールエーテル化合物、親水性アルコール化合物、親水性含窒素化合物および親水性含硫黄化合物からなる群から選択される少なくとも一種の化合物を含む場合には、第３の有機溶剤の配合量を、第１の有機溶剤１００重量部に対して、１５０重量部以下の値とし、かつ、沸点が１９０℃を超えた値である有機溶剤の配合量を、第１の有機溶剤１００重量部に対して、０重量部、または０〜１５重量部（但し、０重量部は含まない。）の範囲内の値とすることを特徴とする洗浄剤組成物が開示されている。
【０００４】
また、特許文献２には、下記一般式（１５）および／または下記一般式（１６）で表されるノニオン系化合物からなる有機溶剤（Ａ）２０〜４０重量％、ならびに水（Ｂ）６０〜８０重量％を含有し、かつ曇点が２０〜９０℃である水溶液を用いてなる、フラックス残渣除去用洗浄剤が開示されている。
【０００５】
【化１】
2019031690.tif 000003
【０００６】
（一般式（１５）中、Ｒ7は炭素数２〜５のアルキル基またはフェニル基を、Ｒ8はイソプロピレン基を、ｘは１〜３の整数を表す。）
【０００７】
【化２】
2019031690.tif 000004
【０００８】
（一般式（１６）中、Ｒ9は炭素数３〜８のアルキル基またはフェニル基を、Ｒ10はノルマルエチレン基を、yは１〜３の整数を表す。）
【０００９】
【特許文献１】特許第５１２７００９号公報（特許請求の範囲）
【特許文献２】特開２０１３−１８１０６０号公報（特許請求の範囲）
【発明の概要】
【発明が解決しようとする課題】
【００１０】
しかしながら、特許文献１に開示されている洗浄剤組成物は、２０℃における水への溶解度が５０重量％以下の値である所定の疎水性有機溶剤と、２０℃における水への溶解度が５０重量％を超えた値である所定の親水性有機溶剤とを所定の範囲で配合してなることから、基本的に、常温において２相に相分離してしまうという問題が見られた。
このため、液管理の観点からは、洗浄剤組成物を使用する直前に洗浄剤組成物用原液に対して水を配合して洗浄剤組成物を調製する必要があり、作業工程が煩雑になるという問題が見られた。
また、洗浄剤組成物が余った場合には、２相に相分離してしまうことから、次に使用する際に再度撹拌しなければならないという点で貯蔵・保管面でも不便であった。
さらに、洗浄剤組成物の分析（中和滴定、ガスクロマトグラフ等）を行う際には、油相と水相を所定の比率で採取する必要があることから、撹拌下での採取・分析が必須となるが、撹拌した場合であっても、油相と水相を所定の比率で正確に採取することは困難であり、得られる分析値にバラツキが生じやすくなるという問題が見られた。
加えて、特許文献１に開示されている洗浄剤組成物を構成するための洗浄剤組成物用原液は、引火点が低く安全性が不十分な場合に、水を添加して引火点を上昇させようとすると、常温において容易に相分離してしまうという問題が見られた。
したがって、かかる相分離により、引火点を制御すること自体が困難になるばかりか、洗浄剤組成物用原液の取扱い容易性までもが低下してしまうという問題も見られた。
なお、本発明において「取扱い容易性」とは、使用もしくは分析直前における水の添加や撹拌をする必要がなく、容易に取り扱うことができる特性を意味する。
【００１１】
一方、特許文献２に開示されているフラックス残渣除去用洗浄剤は、曇点未満の非洗浄温度条件下では相分離しない一方、曇点以上の洗浄温度条件下では相分離するため、引用文献１において問題となった取扱い容易性の欠点を解決することができる。
しかしながら、特許文献２に開示されているフラックス残渣除去用洗浄剤は、主洗浄成分としての有機溶剤が所定のモノアルキルグリコールエーテル化合物に限定されていることから、フラックス残渣に対する溶解性が低く、十分な洗浄性を得ることが困難になるという問題が見られた。
そればかりか、主洗浄成分としての有機溶剤が所定のモノアルキルグリコールエーテル化合物に限定されていることから、所定量の水を含むにもかかわらず洗浄剤組成物の粘度が比較的高く、パッケージ部品下の隙間における洗浄性が劣るという傾向が見られた。
また、洗浄後における被洗浄物からの乾燥性も不十分になりやすく、さらには、臭気も強いという問題が見られた。
【００１２】
そこで、本発明の発明者らは、鋭意検討した結果、有機溶剤として、所定のジアルキルグリコールエーテル化合物と、親水性アミン化合物とを所定の配合割合で含む洗浄剤組成物用原液であって、所定量の水を添加した場合に所定の範囲の曇点を有することとなる洗浄剤組成物用原液であれば、所定量の水を配合することにより、環境安全性に優れる一方、優れた洗浄性および乾燥性を発揮することができ、かつ、取扱い容易性に優れた洗浄剤組成物が得られることを見出し、本発明を完成させたものである。
すなわち、本発明の目的は、所定量の水を配合することにより、環境安全性に優れる一方、優れた洗浄性および乾燥性を発揮することができ、かつ、取扱い容易性に優れた所定の曇点を有する洗浄剤組成物を得ることができる洗浄剤組成物用原液、それを用いてなる洗浄剤組成物および洗浄方法を提供することにある。
【課題を解決するための手段】
【００１３】
本発明によれば、洗浄剤組成物用原液１００重量部に対して、４０〜１９００重量部の範囲内の水を添加した場合に、３０〜６０℃の範囲内の曇点を有する洗浄剤組成物となる洗浄剤組成物用原液であって、有機溶剤として、第１および第２の有機溶剤を含むとともに、第１の有機溶剤が、下記一般式（１）で表される化合物であり、第２の有機溶剤が、親水性アミン化合物であるとともに、第２の有機溶剤の配合量を、第１の有機溶剤１００重量部に対して、０．１〜１００重量部の範囲内の値とすることを特徴とする洗浄剤組成物用原液が提供され、上述した問題を解決することができる。
より具体的には、第２の有機溶剤である親水性アミン化合物が、Ｎ，Ｎ−ジエチルイソプロパノールアミンである。
【００１４】
【化３】
2019031690.tif 000005
【００１５】
（一般式（１）中、Ｒ1〜Ｒ3は、それぞれ独立した置換基であり、Ｒ1は炭素数１〜４のアルキル基であり、Ｒ2はノルマルエチレン基（以下、エチレン基と称する場合がある。）またはイソプロピレン基であり、Ｒ3は炭素数１〜３のアルキル基であり、繰り返し数ｎは１〜３の整数である。）
【００１６】
すなわち、本発明の洗浄剤組成物用原液であれば、所定量の水を添加した場合に所定の範囲の曇点を有することとなることから、所定量の水を添加して洗浄剤組成物とした場合であっても、曇点未満の非洗浄温度条件下であれば、相分離することなく均一な状態を安定的に保持することができる。
したがって、洗浄剤組成物用原液の状態においては勿論のこと、所定量の水を添加して洗浄剤組成物とした場合であっても、貯蔵・保管・液分析が容易になる利点があり、優れた取扱い容易性を発揮することができる。
また、所定量の水を添加して洗浄剤組成物とした場合において、曇点以上の洗浄温度条件下では相分離するため、撹拌により白濁状態の洗浄剤組成物とすることができる。
したがって、洗浄剤組成物における有機溶剤自体に起因した洗浄性と、その白濁状態とが相乗効果を発揮し、優れた洗浄性を得ることができる。
また、本発明の洗浄剤組成物用原液であれば、有機溶剤として、所定のジアルキルグリコールエーテル化合物と、親水性アミン化合物とを所定の配合割合で含むことから、特に、所定のジアルキルグリコールエーテル化合物の代わりに所定のモノアルキルグリコールエーテル化合物を用いた場合と比較して、洗浄性および乾燥性を効果的に向上させることができる。
さらに、比較的多量の水を添加して洗浄剤組成物とすることから、優れた環境安全性を発揮することができる。
【００１７】
また、本発明の洗浄剤組成物用原液を構成するにあたり、第１の有機溶剤の沸点を１４０〜１９０℃の範囲内の値とするとともに、水への溶解度（測定温度：２０℃）を２０重量％を超えた値とすることが好ましい。
このように構成することにより、洗浄剤組成物における曇点の調整が容易になるばかりか、乾燥性および使用後の洗浄剤組成物の再生効率を効果的に向上させることができる。
なお、本発明において「水への溶解度」とは、１００重量％の水に対して溶解できる溶剤の重量％を意味する。したがって、１００ｇの水に対して溶解できる溶剤の重量（ｇ）と同じ値となる。
【００１８】
また、本発明の洗浄剤組成物用原液を構成するにあたり、第１の有機溶剤のＳＰ値を６．５〜１２の範囲内の値とするとともに、第２の有機溶剤のＳＰ値を８〜１５の範囲内の値とすることが好ましい。
このように構成することにより、洗浄剤組成物における曇点の調整をさらに容易にすることができる。
【００１９】
また、本発明の洗浄剤組成物用原液を構成するにあたり、第１の有機溶剤が、ジエチレングリコールジエチルエーテルおよびジプロピレングリコールジメチルエーテル、あるいはいずれか一方であることが好ましい。
このように構成することにより、第１の有機溶剤単独でも水の添加により曇点を有することから、洗浄剤組成物における曇点の調整がより容易になるばかりか、洗浄性および乾燥性をより効果的に向上させることができる。
【００２０】
また、本発明の洗浄剤組成物用原液を構成するにあたり、第３の有機溶剤として、下記一般式（２）で表される化合物および下記一般式（３）で表される化合物、あるいはいずれか一方を含むとともに、当該第３の有機溶剤の配合量を、第１の有機溶剤１００重量部に対して、０〜２００重量部（但し、０重量部は含まない。）の範囲内の値とすることが好ましい。
【化４】
2019031690.tif 000006
【００２１】
（一般式（２）中、Ｒ4〜Ｒ5は、それぞれ独立した置換基であり、Ｒ4は炭素数１〜５のアルキル基であり、Ｒ5はノルマルエチレン基またはイソプロピレン基であり、繰り返し数ｍは１〜３の整数である。）
【００２２】
【化５】
2019031690.tif 000007
【００２３】
（一般式（３）中、Ｒ6は水素原子またはメチル基である。）
【００２４】
このように構成することにより、洗浄剤組成物用原液に対して、所定量の水を添加して洗浄剤組成物とした場合に、洗浄剤組成物の曇点以上の洗浄温度環境下において、エマルジョンとなった第１の有機溶剤の水に対する分散性を向上させることができるばかりか、洗浄剤組成物における曇点の調整をより一段と容易にすることができる。
【００２５】
また、本発明の洗浄剤組成物用原液を構成するにあたり、沸点が１９０℃を超えた値である有機溶剤の配合量を、第１の有機溶剤１００重量部に対して、０重量部、または０〜１５重量部（但し、０重量部は含まない。）の範囲内の値とすることが好ましい。
このように構成することにより、洗浄剤組成物の乾燥性および使用後の洗浄剤組成物の再生効率をより効果的に向上させることができる。
【００２６】
また、本発明の洗浄剤組成物用原液を構成するにあたり、水を含むとともに、当該水の配合量を、第１の有機溶剤１００重量部に対して、１〜２５重量部の範囲内の値とすることが好ましい。
このように構成することにより、保管状態（静置状態）において相分離させることなく安定的に洗浄剤組成物用原液における引火点を上げて、取り扱い上の安全性を向上させることができる。
【００２７】
また、本発明の別の態様は、洗浄剤組成物用原液１００重量部に対して、４０〜１９００重量部の範囲内の水を添加してなる、３０〜６０℃の範囲内の曇点を有する洗浄剤組成物であって、洗浄剤組成物用原液が、有機溶剤として第１および第２の有機溶剤を含むとともに、第１の有機溶剤が、下記一般式（１）で表される化合物であり、第２の有機溶剤が、親水性アミン化合物であるとともに、第２の有機溶剤の配合量を、第１の有機溶剤１００重量部に対して、０．１〜１００重量部の範囲内の値とすることを特徴とする洗浄剤組成物である。
より具体的には、第２の有機溶剤である親水性アミン化合物が、Ｎ，Ｎ−ジエチルイソプロパノールアミンである。
【００２８】
【化６】
2019031690.tif 000008
【００２９】
（一般式（１）中、Ｒ1〜Ｒ3は、それぞれ独立した置換基であり、Ｒ1は炭素数１〜４のアルキル基であり、Ｒ2はノルマルエチレン基またはイソプロピレン基であり、Ｒ3は炭素数１〜３のアルキル基であり、繰り返し数ｎは１〜３の整数である。）
【００３０】
すなわち、本発明の洗浄剤組成物であれば、所定の洗浄剤組成物用原液に対して、所定量の水を添加してなることから、環境安全性に優れる一方、優れた洗浄性および乾燥性を発揮することができ、かつ、優れた取扱い容易性も発揮することができる。
【００３１】
また、本発明のさらに別の態様は、洗浄剤組成物用原液１００重量部に対して、４０〜１９００重量部の範囲内の水を添加し、３０〜６０℃の範囲内の曇点を有する洗浄剤組成物を準備する洗浄剤組成物準備工程と、得られた洗浄剤組成物を、当該洗浄剤組成物の曇点以上の温度に維持しつつ、白濁状態にて、被洗浄物を洗浄する洗浄工程と、を含む洗浄方法であって、洗浄剤組成物用原液が、有機溶剤として第１および第２の有機溶剤を含むとともに、第１の有機溶剤が、下記一般式（１）で表される化合物であり、第２の有機溶剤が、親水性アミン化合物であるとともに、第２の有機溶剤の配合量を、第１の有機溶剤１００重量部に対して、０．１〜１００重量部の範囲内の値とすることを特徴とする洗浄方法である。
より具体的には、第２の有機溶剤である親水性アミン化合物が、Ｎ，Ｎ−ジエチルイソプロパノールアミンである。
【００３２】
【化７】
2019031690.tif 000009
【００３３】
（一般式（１）中、Ｒ1〜Ｒ3は、それぞれ独立した置換基であり、Ｒ1は炭素数１〜４のアルキル基であり、Ｒ2はノルマルエチレン基またはイソプロピレン基であり、Ｒ3は炭素数１〜３のアルキル基であり、繰り返し数ｎは１〜３の整数である。）
【００３４】
すなわち、本発明の洗浄方法であれば、所定の洗浄剤組成物用原液に対して、所定量の水を添加してなる洗浄剤組成物を用いた洗浄方法であることから、環境問題に配慮しつつも、効率的に被洗浄物を洗浄することができる。
【図面の簡単な説明】
【００３５】
【図１】図１（ａ）〜（ｂ）は、洗浄装置の一例を説明するために供する図である。
【図２】図２（ａ）〜（ｂ）は、参考例３における洗浄剤組成物の外観を示す写真である。
【図３】図３（ａ）〜（ｂ）は、比較例６における洗浄剤組成物の外観を示す写真である。
【発明を実施するための形態】
【００３６】
［第１の実施形態］
第１の実施形態は、洗浄剤組成物用原液１００重量部に対して、４０〜１９００重量部の範囲内の水を添加した場合に、３０〜６０℃の範囲内の曇点を有する洗浄剤組成物となる洗浄剤組成物用原液であって、有機溶剤として、第１および第２の有機溶剤を含むとともに、第１の有機溶剤が、下記一般式（１）で表される化合物であり、第２の有機溶剤が、親水性アミン化合物であるとともに、第２の有機溶剤の配合量を、第１の有機溶剤１００重量部に対して、０．１〜１００重量部の範囲内の値とすることを特徴とする洗浄剤組成物用原液である。
より具体的には、第２の有機溶剤である親水性アミン化合物が、Ｎ，Ｎ−ジエチルイソプロパノールアミンである。
【００３７】
【化８】
2019031690.tif 000010
【００３８】
（一般式（１）中、Ｒ1〜Ｒ3は、それぞれ独立した置換基であり、Ｒ1は炭素数１〜４のアルキル基であり、Ｒ2はノルマルエチレン基またはイソプロピレン基であり、Ｒ3は炭素数１〜３のアルキル基であり、繰り返し数ｎは１〜３の整数である。）
【００３９】
１．第１の有機溶剤
（１）種類
本発明の洗浄剤組成物用原液を構成する第１の有機溶剤は、下記一般式（１）で表される化合物であることを特徴とする。
【００４０】
【化９】
2019031690.tif 000011
【００４１】
（一般式（１）中、Ｒ1〜Ｒ3は、それぞれ独立した置換基であり、Ｒ1は炭素数１〜４のアルキル基であり、Ｒ2はノルマルエチレン基またはイソプロピレン基であり、Ｒ3は炭素数１〜３のアルキル基であり、繰り返し数ｎは１〜３の整数である。）
【００４２】
この理由は、一般式（１）で表される所定のジアルキルグリコールエーテル化合物であれば、後述する第２の有機溶剤の効果と相まって、洗浄剤組成物用原液に対して所定量の水を添加して洗浄剤組成物とした場合に、洗浄剤組成物の曇点以上の洗浄温度条件下においてエマルジョン状態となり、洗浄剤組成物を白濁状態とすることに寄与するためである。
また、所定のジアルキルグリコールエーテル化合物は、水の添加による油脂溶解性低下の影響を受けにくいことから、洗浄剤組成物用原液に対して所定量の水を添加した場合であっても、優れた洗浄性を効果的に発揮することができる。
特に、所定のジアルキルグリコールエーテル化合物は、フラックス残渣に対する溶解力に優れることから、所定のジアルキルグリコールエーテル化合物の代わりに所定のモノアルキルグリコールエーテル化合物を用いた場合と比較して、洗浄性を効果的に向上させることができる。
したがって、所定のジアルキルグリコールエーテル化合物が元来有する優れた洗浄性と、それがエマルジョン状態となることとの相乗効果により、洗浄剤組成物用原液に対して所定量の水を添加して洗浄剤組成物とした場合に、優れた洗浄性を発揮することができる。
また、所定のジアルキルグリコールエーテル化合物であれば、所定量の水を添加した状態でも粘度、表面張力が低く、液切り性、濡れ性が良好であるため、所定のジアルキルグリコールエーテル化合物の代わりに所定のモノアルキルグリコールエーテル化合物を用いた場合と比較して、乾燥性を効果的に向上させることができる。
さらに、所定のジアルキルグリコールエーテル化合物であれば、所定のジアルキルグリコールエーテル化合物の代わりに所定のモノアルキルグリコールエーテル化合物を用いた場合と比較して、効果的に臭気を抑えることができる。
【００４３】
また、一般式（１）で表される化合物としては、例えば、ジエチレングリコールジメチルエーテル（沸点：１６２℃、水への溶解度：１００重量％以上、ＳＰ値：８．７、引火点：５６℃）、ジエチレングリコールジエチルエーテル（沸点：１８９℃、水への溶解度：１００重量％以上、ＳＰ値：８．９、引火点：７０℃）、ジプロピレングリコールジメチルエーテル（沸点：１７１℃、水への溶解度：３７重量％、ＳＰ値：８．２、引火点：６５℃）、ジエチレングリコールメチルエチルエーテル（沸点：１７６℃、水への溶解度：１００重量％以上、ＳＰ値：９．３、引火点：６６℃）、ジエチレングリコールイソプロピルメチルエーテル（沸点：１７９℃、水への溶解度：１００重量％以上、ＳＰ値：９．２、引火点：７４℃）等が挙げられる。
【００４４】
また、上述した化合物の中でも、特に、ジエチレングリコールジエチルエーテルおよびジプロピレングリコールジメチルエーテル、あるいはいずれか一方を用いることが好ましい。
この理由は、これらの化合物であれば、単独でも水の添加により曇点を有することから、洗浄剤組成物における曇点の調整が容易になるばかりか、洗浄性および乾燥性をより効果的に向上させることができるためである。
すなわち、これらの化合物であれば、例えば、全体に対して３０重量％水溶液とした場合に１０〜９０℃の範囲に曇点を有し、かつ、沸点、ＳＰ値、粘度、表面張力が所定の範囲であることから、洗浄剤組成物における曇点の調整が容易になるばかりか、洗浄性および乾燥性をより効果的に向上させることができる。
【００４５】
（２）沸点
また、第１の有機溶剤の沸点を１４０〜１９０℃の範囲内の値とすることが好ましい。
この理由は、かかる沸点が１４０℃未満の値となると、使用時における揮発量が多くなり、液の消費量が増えることから、経済性が悪くなる場合があるためである。一方、かかる沸点が１９０℃を超えた値となると、使用後の洗浄剤組成物を分留により再生する際に、必要となるエネルギーが過度に大きくなったり、再生時に高沸点成分が留出されず、洗浄剤組成物の回収率が低下したり、所定の組成の洗浄剤組成物が得られなくなるなど、再生効率が低下しやすくなる場合があるためである。また、使用後の洗浄剤組成物を分留する際の加熱温度が高くなることから、洗浄剤組成物の構成成分が分解等を起こしやすくなって、再生後の洗浄剤組成物の洗浄性が低下し、十分な洗浄性を有する洗浄剤組成物を安定的に得ることが困難になるためである。さらに、乾燥性も悪くなって、乾燥不良により被洗浄物に残留しやすくなるためである。
したがって、第１の有機溶剤における沸点を、１４５〜１８５℃の範囲内の値とすることがより好ましく、１５０〜１８０℃の範囲内の値とすることがさらに好ましい。
【００４６】
（３）溶解度
また、第１の有機溶剤の水への溶解度（測定温度：２０℃）を２０重量％を超えた値とすることが好ましい。
この理由は、かかる溶解度が２０重量％以下の値となると、水への溶解度が過度に低いため、洗浄剤組成物に対して所定量の水を添加した場合に、常温において即２相に相分離してしまい、曇点を所定の範囲に調整することが困難になる場合があるためである。一方、かかる溶解度が過度に大きな値となると、洗浄剤組成物用原液に対して水を添加して洗浄剤組成物とした場合に、曇点が過度に高くなって、洗浄温度条件下において白濁状態を得ることが困難になる場合があるためである。また、水と相溶しやすくなって、元来有する洗浄性を十分に発揮することが困難になる場合があるためである。
したがって、第１の有機溶剤の水への溶解度（測定温度：２０℃）を、２１〜２００重量％の範囲内の値とすることがより好ましく、２２〜５０重量％の範囲内の値とすることがさらに好ましい。
【００４７】
（４）ＳＰ値
また、第１の有機溶剤のＳＰ値を６．５〜１２の範囲内の値とすることが好ましい。
この理由は、かかるＳＰ値が６．５未満の値となると、第２の有機溶剤との相溶性が過度に低下して、洗浄剤組成物用原液を均一溶液として構成することが困難になる場合があるためである。一方、かかるＳＰ値が１２を超えた値となると、水との相溶性が過度に高くなって、洗浄剤組成物用原液に対して所定量の水を添加して洗浄剤組成物とした場合に、曇点が過度に高くなって、洗浄温度条件下において白濁状態を得ることが困難になる場合があるためである。
したがって、第１の有機溶剤におけるＳＰ値を、７〜１１の範囲内の値とすることがより好ましく、７．５〜１０の範囲内の値とすることがさらに好ましい。
【００４８】
（５）引火点
また、第１の有機溶剤の引火点を３０〜１００℃の範囲内の値とすることが好ましい。
この理由は、かかる引火点が３０℃未満の値となると、洗浄剤組成物用原液や、それに所定量の水を添加してなる洗浄剤組成物における引火点が４０℃未満になりやすくなり、消防法上の危険物に該当する場合があるためである。一方、かかる引火点が１００℃を超えた値となると、第１の有機溶剤として使用可能な化合物が過度に制限される場合があるためである。
したがって、第１の有機溶剤が引火点を有する場合は、当該引火点を３５〜８５℃の範囲内の値とすることが好ましく、４０〜７０℃の範囲内の値とすることがさらに好ましい。
【００４９】
（６）配合量
また、第１の有機溶剤の配合量を、洗浄剤組成物用原液の全体量に対して、４０〜９９．７重量％の範囲内の値とすることが好ましい。
この理由は、かかる配合量が４０重量％未満の値となると、洗浄性が過度に低下しやすくなったり、洗浄剤組成物用原液に対して所定量の水を添加して洗浄剤組成物とした場合に、曇点が過度に高くなって、洗浄温度条件下において白濁状態を得ることが困難になったりする場合があるためである。一方、かかる配合量が９９．７重量％を超えた値となると、洗浄剤組成物用原液に対して所定量の水を添加して洗浄剤組成物とした場合に、曇点か過度に高くなって、洗浄温度条件下において白濁状態を得ることが困難になる場合があるためである。
したがって、第１の有機溶剤の配合量を、洗浄剤組成物用原液の全体量に対して、４５〜９９．５重量％の範囲内の値とすることがより好ましく、５０〜９９重量％の範囲内の値とすることがさらに好ましい。
【００５０】
２．第２の有機溶剤
（１）種類
本発明の洗浄剤組成物用原液を構成する第２の有機溶剤は、親水性アミン化合物であることを特徴とする。
この理由は、親水性アミン化合物であれば、洗浄剤組成物用原液に対して所定量の水を添加して洗浄剤組成物とした場合に、洗浄剤組成物の曇点以上の洗浄温度条件下において、エマルジョン状態となった第１の有機溶剤と、水との間を取り持ち、エマルジョンの分散性を向上させ、結果的に洗浄剤組成物における洗浄性を向上させることができるためである。
また、第２の有機溶剤自体も、フラックス残渣に対して優れた洗浄性を有することから、それ自体によって、洗浄剤組成物における洗浄性の向上に寄与することができる。
【００５１】
また、親水性アミン化合物としては、例えば、Ｎ−エチルピペラジン（沸点：１５７℃、水への溶解度：１００重量％以上、ＳＰ値：９．７、引火点：４３℃）、Ｎ，Ｎ−ジエチルイソプロパノールアミン（沸点：１５９℃、水への溶解度：１００重量％以上、ＳＰ値：１０．３、引火点：４４℃）、Ｎ−メチルエタノールアミン（沸点：１６０℃、水への溶解度：１００重量％以上、ＳＰ値：１２．０、引火点：７４℃）、モノイソプロパノールアミン（沸点：１６０℃、水への溶解度：１００重量％以上、ＳＰ値：１２．７、引火点：７４℃）、Ｎ，Ｎ−ジエチルエタノールアミン（沸点：１６２℃、水への溶解度：１００重量％以上、ＳＰ値：１１．０、引火点：５５℃）、Ｎ−エチルエタノールアミン（沸点：１６９℃、水への溶解度：１００重量％以上、ＳＰ値：１１．４、引火点：７１℃）、Ｎ−ｔ−ブチルエタノールアミン（沸点：１７５℃、水への溶解度：１００重量％以上、ＳＰ値：１０．１、引火点：８８℃）、１−アミノ−４−メチルピペラジン（沸点：１７８℃、水への溶解度：１００重量％以上、ＳＰ値：１１．６、引火点：６２℃）、Ｎ−アミノエチルピペラジン（沸点：１８２℃、水への溶解度：１００重量％以上、ＳＰ値：９．９、引火点：５８℃）、Ｎ−アリルピペラジン（沸点：１８５℃、水への溶解度：１００重量％以上、ＳＰ値：９．４、引火点：５２℃）等が挙げられる。
【００５２】
また、上述した親水性アミン化合物の中でも、特に、Ｎ，Ｎ−ジエチルイソプロパノールアミン、Ｎ−エチルエタノールアミン、Ｎ−メチルエタノールアミンおよびモノイソプロパノールアミンからなる群から選択される少なくとも一種の化合物であることが好ましい。
この理由は、これらの化合物であれば、洗浄剤組成物における曇点の調整がより一段と容易になるばかりか、洗浄性および乾燥性をさらに向上させることができるためである。
すなわち、これらの水溶性アミン類であれば、洗浄剤組成物の曇点を上昇させる効果があり、かつ、２相に相分離した油相、水相の各相に相溶することができ、各相の洗浄性と、エマルジョン状態となった第１の有機溶剤の分散性をさらに向上させることができる。
【００５３】
（２）沸点
また、第２の有機溶剤の沸点を１４０〜１９０℃の範囲内の値とすることが好ましい。
この理由は、かかる沸点が１４０℃未満の値となると、使用時における揮発量が多くなり、液の消費量が増えることから、経済性が悪くなるためである。一方、かかる沸点が１９０℃を超えた値となると、使用後の洗浄剤組成物を分留により再生する際に、必要となるエネルギーが過度に大きくなったり、再生時に高沸点成分が留出されず、洗浄剤組成物の回収率が低下したり、所定の組成の洗浄剤組成物が得られなくなるなど、再生効率が低下しやすくなる場合があるためである。また、使用後の洗浄剤組成物を分留する際の加熱温度が高くなることから、洗浄剤組成物の構成成分が分解等を起こしやすくなって、再生後の洗浄剤組成物の洗浄性が低下し、十分な洗浄性を有する洗浄剤組成物を安定的に得ることが困難になるためである。さらに、乾燥性も悪くなって、乾燥不良により被洗浄物に残留しやすくなるためである。
したがって、第２の有機溶剤における沸点を、１４５〜１８５℃の範囲内の値とすることがより好ましく、１５０〜１８０℃の範囲内の値とすることがさらに好ましい。
【００５４】
（３）溶解度
また、第２の有機溶剤の水への溶解度（測定温度：２０℃）を５０重量％を超えた値とすることが好ましい。
この理由は、かかる溶解度が５０重量％以下の値となると、洗浄剤組成物用原液に対して水を添加して洗浄剤組成物とした場合に、洗浄温度条件下においてエマルジョン状態となった第１の有機溶剤と、水との間を取り持ち、エマルジョンの分散性を向上させることが困難になる場合があるためである。
したがって、第２の有機溶剤の水への溶解度（測定温度：２０℃）を、６０〜∞重量％の範囲内の値とすることがより好ましく、７０〜∞重量％の範囲内の値とすることがさらに好ましい。
【００５５】
（４）ＳＰ値
また、第２の有機溶剤のＳＰ値を８〜１５の範囲内の値とすることが好ましい。
この理由は、かかるＳＰ値が８未満の値となると、水との相溶性が過度に低くなって、洗浄剤組成物用原液に対して所定量の水を添加して洗浄剤組成物とした場合に、洗浄温度条件下においてエマルジョン状態となった第１の有機溶剤と、水との間を取り持ち、エマルジョンの分散性を向上させることが困難になる場合があるためである。一方、かかるＳＰ値が１５を超えた値となると、第１の有機溶剤との相溶性が過度に低下して、洗浄剤組成物用原液を均一溶液として構成することが困難になる場合があるためである。
したがって、第２の有機溶剤におけるＳＰ値を、８．５〜１４の範囲内の値とすることがより好ましく、９〜１３の範囲内の値とすることがさらに好ましい。
【００５６】
（５）引火点
第２の有機溶剤の引火点を３０〜１００℃の範囲内の値とすることが好ましい。
この理由は、かかる引火点が３０℃未満の値となると、洗浄剤組成物用原液や、それに所定量の水を添加してなる洗浄剤組成物における引火点が４０℃未満になりやすくなり、消防法上の危険物に該当する場合があるためである。一方、かかる引火点が１００℃を超えた値となると、第２の有機溶剤として使用可能な化合物が過度に制限される場合があるためである。
したがって、第２の有機溶剤が引火点を有する場合には、当該引火点を４０〜９０℃の範囲内の値とすることがより好ましく、５０〜８０℃の範囲内の値とすることがさらに好ましい。
【００５７】
（６）配合量
また、第２の有機溶剤の配合量を、第１の有機溶剤１００重量部に対して、０．１〜１００重量部の範囲内の値とすることを特徴とする。
この理由は、かかる配合量が０．１重量部未満の値となると、洗浄剤組成物用原液に対して所定量の水を添加して洗浄剤組成物とした場合に、洗浄剤組成物の曇点以上の洗浄温度条件下において、エマルジョン状態となった第１の有機溶剤と、水との間を取り持ち、エマルジョンの分散性を向上させる効果を得ることが困難になる場合があるためである。また、第２の有機溶剤自体による洗浄性を得ることが困難になる場合があるためである。一方、かかる配合量が１００重量部を超えた値となると、洗浄剤組成物用原液に対して所定量の水を添加して洗浄剤組成物とした場合に、曇点が過度に高くなって、洗浄温度条件下において白濁状態を得ることが困難になったり、金属腐食性が過度に大きくなったりする場合があるためである。
したがって、第２の有機溶剤の配合量を、第１の有機溶剤１００重量部に対して、０．３〜８５重量部の範囲内の値とすることがより好ましく、０．５〜７０重量部の範囲内の値とすることがさらに好ましい。
【００５８】
３．第３の有機溶剤
（１）種類
また、本発明の洗浄剤組成物用原液を構成するにあたり、第３の有機溶剤として、下記一般式（２）で表される化合物および下記一般式（３）で表される化合物、あるいはいずれか一方を含むことが好ましい。
【００５９】
【化１０】
2019031690.tif 000012
【００６０】
（一般式（２）中、Ｒ4〜Ｒ5は、それぞれ独立した置換基であり、Ｒ4は炭素数１〜５のアルキル基であり、Ｒ5はノルマルエチレン基またはイソプロピレン基であり、繰り返し数ｍは１〜３の整数である。）
【００６１】
【化１１】
2019031690.tif 000013
【００６２】
（一般式（３）中、Ｒ6は水素原子またはメチル基である。）
【００６３】
この理由は、一般式（２）で表される所定のモノアルキルグリコールエーテル化合物であれば、洗浄剤組成物用原液に対して、所定量の水を添加して洗浄剤とした場合に、洗浄剤組成物の曇点以上の洗浄温度環境下において、エマルジョンとなった第１の有機溶剤の水に対する分散性を、より向上させることができるためである。
【００６４】
また、一般式（２）で表される化合物の中でも、特に、エチレングリコールモノイソブチルエーテル（沸点：１６１℃、水への溶解度：１００重量％以上、ＳＰ値：９．１、引火点：５７℃）、３−メトキシ−３−メチル−１−ブタノール（沸点：１７４℃、水への溶解度：１００重量％以上、ＳＰ値：１０．５、引火点：６８℃）、プロピレングリコールモノブチルエーテル（沸点：１７１℃、水への溶解度：６．４重量％、ＳＰ値：９．０、引火点：６２℃）およびプロピレングリコールモノプロピルエーテル（沸点：１５０℃、水への溶解度：１００重量％以上、ＳＰ値：９．６、引火点：４８℃）、エチレングリコールモノイソプロピルエーテル（沸点：１４２℃、水への溶解度：１００重量％以上、ＳＰ値：１０．９、引火点：４６℃）、エチレングリコールモノプロピルエーテル（沸点：１５０℃、水への溶解度：１００重量％以上、ＳＰ値：１０．８、引火点：５７℃）、エチレングリコールモノ−ｔｅｒｔ−ブチルエーテル（沸点：１５３℃、水への溶解度：１００重量％以上、ＳＰ値：１０．３、引火点：５５℃）、３−メトキシブタノール（沸点：１６１℃、水への溶解度：１００重量％以上、ＳＰ値：１０．３、引火点：６５℃）、エチレングリコールモノブチルエーテル（沸点：１７１℃、水への溶解度：１００重量％以上、ＳＰ値：１０．４、引火点：６３℃）およびジプロピレングリコールモノメチルエーテル（沸点：１８７℃、水への溶解度：１００重量％以上、ＳＰ値：１０．２、引火点：７６℃）からなる群から選択される少なくとも一種の化合物を用いることが好ましい。
この理由は、水への溶解度によって洗浄剤組成物における曇点の調整が可能となるばかりか、第１および第２の有機溶剤の補助的役割を発揮して、洗浄性、乾燥性、分散性をより向上させることができるためである。
【００６５】
（２）沸点
また、第３の有機溶剤の沸点を１４０〜１９０℃の範囲内の値とすることが好ましい。
この理由は、かかる沸点が１４０℃未満の値となると、使用時における揮発量が多くなり、液の消費量が増えることから、経済性が悪くなる場合があるためである。一方、かかる沸点が１９０℃を超えた値となると、使用後の洗浄剤組成物を分留により再生する際に、必要となるエネルギーが過度に大きくなったり、再生時に高沸点成分が留出されず、洗浄剤組成物の回収率が低下したり、所定の組成の洗浄剤組成物が得られなくなるなど、再生効率が低下しやすくなる場合があるためである。また、使用後の洗浄剤組成物を分留する際の加熱温度が高くなることから、洗浄剤組成物の構成成分が分解等を起こしやすくなって、再生後の洗浄剤組成物の洗浄性が低下し、十分な洗浄性を有する洗浄剤組成物を安定的に得ることが困難になるためである。さらに、乾燥性も悪くなって、乾燥不良により被洗浄物に残留しやすくなるためである。
したがって、第３の有機溶剤における沸点を、１５０〜１８５℃の範囲内の値とすることがより好ましく、１６０〜１８０℃の範囲内の値とすることがさらに好ましい。
【００６６】
（３）溶解度
また、第３の有機溶剤の水への溶解度（測定温度：２０℃）を、５０重量％を超えた値とすることが好ましい。
この理由は、かかる溶解度が５０重量％以下の値となると、洗浄剤組成物用原液に対して所定量の水を添加して洗浄剤組成物とした場合に、曇点以上の洗浄温度条件下においてエマルジョンとなった第１の有機溶剤の水に対する分散性の向上に寄与することが困難になる場合があるためである。
したがって、第３の有機溶剤の水に対する溶解度（測定温度：２０℃）を、６０〜∞重量％の範囲内の値とすることがより好ましく、７０〜∞重量％の範囲内の値とすることがさらに好ましい。
【００６７】
（４）ＳＰ値
また、第３の有機溶剤におけるＳＰ値を８〜１５の範囲内の値とすることが好ましい。
この理由は、かかるＳＰ値が８未満の値となると、水との相溶性が過度に低くなって、洗浄剤組成物用原液に対して所定量の水を添加して洗浄剤組成物とした場合に、曇点以上の洗浄温度条件下においてエマルジョン状態となった第１の有機溶剤の水に対する分散性を十分に向上させることが困難になる場合があるためである。一方、かかるＳＰ値が１５を超えた値となると、第１および第２の有機溶剤との相溶性が過度に低下して、洗浄剤組成物用原液を均一溶液として構成することが困難になる場合があるためである。
したがって、第３の有機溶剤におけるＳＰ値を、８．５〜１４の範囲内の値とすることがより好ましく、９〜１３の範囲内の値とすることがさらに好ましい。
【００６８】
（５）引火点
また、第３の有機溶剤の引火点を３０〜１００℃の範囲内の値とすることが好ましい。
この理由は、かかる引火点が３０℃未満の値となると、洗浄時組成物用原液や、それに所定量の水を添加してなる洗浄剤組成物における引火点が４０℃未満になりやすくなり、消防法上の危険物に該当する場合があるためである。一方、かかる引火点が１００℃を超えた値となると、第３の有機溶剤として使用可能な化合物が過度に制限される場合があるためである。
したがって、第３の有機溶剤が引火点を有する場合には、当該引火点を４０〜９０℃の範囲内の値とすることがより好ましく、５０〜８０℃の範囲内の値とすることがさらに好ましい。
【００６９】
（６）配合量
また、第３の有機溶剤の配合量を、第１の有機溶剤１００重量部に対して、０〜２００重量部（但し、０重量部は含まない。）の範囲内の値とすることが好ましい。
この理由は、かかる配合量が０重量部となると、洗浄剤組成物用原液に対して所定量の水を添加して洗浄剤組成物とした場合に、曇点以上の洗浄温度条件下においてエマルジョン状態となった第１の有機溶剤の水に対する分散性を向上させることが困難になるためである。一方、かかる配合量が２００重量部を超えた値となると、洗浄剤組成物用原液に対して所定量の水を添加して洗浄剤組成物とした場合に、曇点の調整が困難となり、所定の洗浄温度条件下において白濁状態を得ることが困難になる場合があるためである。
したがって、第３の有機溶剤の配合量を、第１の有機溶剤１００重量部に対して、１〜１７０重量部の範囲内の値とすることがより好ましく、２０〜１５０重量部の範囲内の値とすることがさらに好ましい。
【００７０】
４．第４の有機溶剤
（１）種類
また、本発明の洗浄剤組成物用原液を構成するにあたり、第４の有機溶剤として、疎水性アミン化合物を含むことが好ましい。
この理由は、疎水性アミン化合物であれば、第１の有機溶剤を補完して、洗浄剤組成物用原液に対して所定量の水を添加して洗浄剤組成物とした場合に、洗浄剤組成物の曇点以上の洗浄温度条件下において白濁状態となる洗浄剤組成物用原液の液特性を、より安定的に得ることができるためである。
【００７１】
また、疎水性アミン化合物としては、例えば、ジブチルアミン（沸点：１６０℃、水への溶解度：１重量％以下、ＳＰ値：７．８、引火点：４３℃）、２−エチルヘキシルアミン（沸点：１６９℃、水への溶解度：１重量％以下、ＳＰ値：８．４、引火点：６０℃）、Ｎ−メチルベンジルアミン（沸点：１８０℃、水への溶解度：６．５重量％、ＳＰ値：９．５、引火点：７７℃）、Ｎ，Ｎ−ジメチルベンジルアミン（沸点：１８１℃、水への溶解度：１．２、ＳＰ値：９．８、引火点：６０℃）等が挙げられる。
【００７２】
また、上述した第４の有機溶剤の中でも、特に、ジブチルアミン、２−エチルヘキシルアミンおよびＮ，Ｎ−ジメチルベンジルアミンからなる群から選択される少なくとも一種の化合物を用いることが好ましい。
この理由は、このような種類の第４の有機溶剤であれば、洗浄剤組成物用原液に対して所定量の水を添加して洗浄剤組成物とした場合に、洗浄剤組成物の曇点以上の洗浄温度条件下において白濁状態となる洗浄剤組成物用原液の液特性を、さらに安定的に得ることができるためである。
【００７３】
（２）配合量
また、第４の有機溶剤の配合量を、第１の有機溶剤１００重量部に対して、０．３〜３０重量部の範囲内の値とすることが好ましい。
この理由は、かかる配合量が０．３重量部未満の値となると、その添加効果が不十分になる場合があるためである。一方、かかる配合量が３０重量部を超えた値となると、非洗浄温度条件下において、洗浄剤組成物用原液に対して所定量の水を添加した段階で相分離しやすくなって、優れた取扱い容易性を得ることが困難になったり、金属腐食性が過度に大きくなったりする場合があるためである。
したがって、第４の有機溶剤の配合量を、第１の有機溶剤１００重量部に対して、０．５〜２０重量部の範囲内の値とすることがより好ましく、１〜１５重量部の範囲内の値とすることがさらに好ましい。
【００７４】
５．界面活性剤
（１）種類
界面活性剤は、上述した第１の有機溶剤等の水に対する乳化性を向上させる作用と、被洗浄物に対する親和性を向上させる作用があり、結果として、洗浄性を向上させる効果があるため、添加してもよい。
ここで、界面活性剤の好適例としては、非イオン系界面活性剤であるポリオキシエチレンアルキルエーテル、ポリオキシエチレンアルキルフェニルエーテル、ポリオキシエチレンポリプロピレンアルキルエーテル、ポリオキシエチレンソルビタン脂肪酸エステル、ポリオキシエチレングリコール脂肪酸エステル、ポリオキシエチレンアルキルアミン、ポリオキシエチレンベンジルアルコール、ポリグリセリン脂肪酸エステル等の一種単独または二種以上の組み合わせが挙げられる。
【００７５】
（２）配合量
本発明の洗浄剤組成物用原液においては、界面活性剤を含まないことが好ましいが、少量の添加でも水に対する乳化性を向上させ、被洗浄物に対する親和性の向上に寄与する等、洗浄性の向上効果を発揮する界面活性剤であれば、乾燥性、被洗浄物への電気特性に過度に影響を与えない範囲で配合してもよい。
この場合であっても、洗浄剤組成物用原液の全体量に対して、０〜３重量％（但し、０重量％は含まない。）の範囲内の値とすることが好ましい。
この理由は、かかる界面活性剤の配合量が、３重量％を超えた値となると、被洗浄物への残留量が多くなって、リンス工程が必須となったり、被洗浄物の電気特性を劣化させたり、所定量の水を添加して洗浄剤組成物とした場合に、洗浄剤組成物の曇点が過度に高くなって、洗浄温度条件下において白濁状態を得ることが困難になったりする場合があるためである。
したがって、界面活性剤の配合量を、洗浄剤組成物用原液の全体量に対して、０．０１〜２重量％の範囲内の値とすることがより好ましく、０．１〜１重量％の範囲内の値とすることがさらに好ましい。
【００７６】
６．沸点が１９０℃を超える有機溶剤
また、本発明の洗浄剤組成物用原液においては、沸点が１９０℃を超えた値である有機溶剤を含まないことが好ましい。
この理由は、使用後の洗浄剤組成物を分留により再生する際に、必要となるエネルギーが過度に大きくなったり、再生時に高沸点成分が留出されず、洗浄剤組成物の回収率が低下したり、所定の組成の洗浄剤組成物が得られなくなるなど、再生効率が低下しやすくなる場合があるためである。また、使用後の洗浄剤組成物を分留する際の加熱温度が高くなることから、洗浄剤組成物の構成成分が分解等を起こしやすくなって、再生後の洗浄剤組成物の洗浄性が低下し、十分な洗浄性を有する洗浄剤組成物を安定的に得ることが困難になるためである。さらに、乾燥性も悪くなって、乾燥不良により被洗浄物に残留しやすくなるためである。
但し、例えば、ベンジルアルコールやＮ−メチルピロリドンのように、少量の添加であっても、洗浄剤組成物における洗浄性の向上に寄与する有機溶剤であれば、洗浄剤組成物の再生効率、乾燥性に過度に影響を与えない範囲内で配合してもよい。
この場合であっても、沸点が１９０℃を超えた値である有機溶剤の配合量を、第１の有機溶剤１００重量部に対して、０〜１５重量部（但し、０重量部は含まない。）の範囲内の値とする必要があり、０．０１〜１２重量部の範囲内の値とすることがより好ましく、０．１〜１０重量部の範囲内の値とすることがさらに好ましい。
また、洗浄剤組成物用原液に所定量の水を添加して洗浄剤組成物とした場合においては、沸点が１９０℃を超えた値である有機溶剤の配合量を、洗浄剤組成物の全体量に対して、０〜５重量％未満の値とすることが好ましく、０．００１〜４重量％の範囲内の値とすることがより好ましく、０．０１〜３重量％の範囲内の値とすることがさらに好ましい。
【００７７】
７．エステル化合物
また、本発明の洗浄剤組成物用原液においては、洗浄剤組成物の再生効率を向上させる観点から、エステル化合物を含まないことが好ましい。
すなわち、洗浄剤組成物用原液がエステル化合物を含む場合、使用後の洗浄剤組成物を分留により再生しようとすると、蒸留再生時にエステル化合物が加水分解を起こしてしまい、再生により得られる留出液の洗浄性が低下する可能性があり、十分な洗浄性を得ることが困難になりやすいためである。
但し、洗浄剤組成物の蒸留再生後の洗浄性低下および曇点の低下に過度に影響を与えない範囲内であれば、洗浄性の更なる向上等を目的として、例えば、エチレングリコールモノブチルエーテルアセテート等のエステル化合物を用いてもよい。
この場合、エステル化合物の配合量を、第１の有機溶剤１００重量部に対して、０．１〜２５重量部の範囲内の値とすることが好ましく、１〜１２重量部の範囲内の値とすることがより好ましく、２〜６重量部の範囲内の値とすることがさらに好ましい。
【００７８】
８．水
また、本発明の洗浄剤組成物用原液を構成するにあたり、所定量の水を含むことが好ましい。
この理由は、所定量の水を含むことにより、相分離させることなく安定的に洗浄剤組成物用原液における引火点を上げて、取り扱い上の安全性を向上させることができるためである。
また、水の配合量を、第１の有機溶剤１００重量部に対して、１〜２５重量部の範囲内の値とすることが好ましい。
この理由は、かかる配合量が１重量部未満の値となると、洗浄剤組成物用原液における引火点を十分に上げることが困難になる場合があるためである。一方、かかる配合量が２５重量部を超えた値となると、引火点を必要以上に上げることになることから、洗浄剤組成物用原液を過度に希釈することになって原液としてのメリットが薄くなり、さらには、輸送コストが高くなるといった問題も生じる場合があるためである。
したがって、水の配合量を、第１の有機溶剤１００重量部に対して、２〜２０重量部の範囲内の値とすることがより好ましく、３〜１８重量部の範囲内の値とすることがさらに好ましい。
【００７９】
９．引火点および燃焼点
本発明の洗浄剤組成物用原液は、引火点を有しないか、あるいは、引火点を有する場合であっても、その温度を４０℃以上の値とし、かつ、燃焼点を６０℃以上の値とすることが好ましい。
この理由は、かかる引火点が４０℃以上、かつ、燃焼点が６０℃以上の値となると、消防法上の危険物に該当しなくなるためである。
但し、洗浄剤組成物用原液の引火点および燃焼点が過度に高くなると、使用可能な第１〜第２の有機溶剤等の種類や配合量が過度に制限される場合がある。
したがって、洗浄剤組成物用原液が引火点を有する場合であっても、その温度を４５〜１５０℃の範囲内の値とすることがより好ましく、５０〜１００℃の範囲内の値とすることがさらに好ましい。
また、洗浄剤組成物用原液の燃焼点を７０〜２５０℃の範囲内の値とすることがより好ましく、８０〜１５０℃の範囲内の値とすることがさらに好ましい。
なお、洗浄剤組成物の引火点は、参考例１に記載するように、ＪＩＳ  Ｋ  ２２６５−１および４（引火点の求め方）に準じて、測定することができる。
【００８０】
また、本発明の洗浄剤組成物用原液は、当該洗浄剤組成物用原液１００重量部に対して、４０〜１９００重量部の範囲内の水を添加した場合に、３０〜６０℃の範囲内の曇点を有する洗浄剤組成物となることを特徴とする。
これは、洗浄剤組成物用原液１００重量部に対して、４０〜１９００重量部の範囲内における少なくとも一点の水を添加した場合に、得られる洗浄剤組成物の曇点が３０〜６０℃の範囲内となることを意味し、４０〜１９００重量部の全範囲内の水を添加した場合に、得られる洗浄剤組成物の曇点が常に３０〜６０℃の範囲内となることを意味しない。
なお、洗浄剤組成物の曇点については、第２の実施形態において具体的に記載する。
【００８１】
［第２の実施形態］
第２の実施形態は、洗浄剤組成物用原液１００重量部に対して４０〜１９００重量部の範囲内の水を添加してなる、３０〜６０℃の範囲内の曇点を有する洗浄剤組成物であって、洗浄剤組成物用原液が、有機溶剤として第１および第２の有機溶剤を含むとともに、第１の有機溶剤が、下記一般式（１）で表される化合物であり、第２の有機溶剤が、親水性アミン化合物であるとともに、第２の有機溶剤の配合量を、第１の有機溶剤１００重量部に対して、０．１〜１００重量部の範囲内の値とすることを特徴とする洗浄剤組成物である。
より具体的には、第２の有機溶剤である親水性アミン化合物が、Ｎ，Ｎ−ジエチルイソプロパノールアミンである。
【００８２】
【化１２】
2019031690.tif 000014
【００８３】
（一般式（１）中、Ｒ1〜Ｒ3は、それぞれ独立した置換基であり、Ｒ1は炭素数１〜４のアルキル基であり、Ｒ2はノルマルエチレン基またはイソプロピレン基であり、Ｒ3は炭素数１〜３のアルキル基であり、繰り返し数ｎは１〜３の整数である。）
【００８４】
１．洗浄剤組成物用原液
第２の実施形態においては、第１の実施形態で説明した洗浄剤組成物用原液を、そのまま使用するため、ここでの再度の説明は省略する。
【００８５】
２．水
本発明の洗浄剤組成物は、洗浄剤組成物用原液１００重量部に対して、４０〜１９００重量部の範囲内の水を添加することを特徴とする。
この理由は、かかる水の添加量が４０重量部未満の値となると、曇点が過度に高くなって、洗浄温度条件下において白濁状態を得ることが困難になり十分な洗浄性を得ることが困難になるばかりか、環境安全性に乏しくなったり、消防法における危険物に該当しやすくなったりする場合があるためである。一方、かかる水の添加量が１９００重量部を超えた値となると、この場合も曇点が過度に高くなって、洗浄温度条件下において白濁状態を得ることが困難になり十分な洗浄性を得ることが困難になる場合があるためである。
したがって、水の添加量を、洗浄剤組成物用原液１００重量部に対して、１００〜１５００重量部の範囲内の値とすることがより好ましく、１５０〜９００重量部の範囲内の値とすることがさらに好ましい。
【００８６】
３．液特性
（１）曇点
本発明の洗浄剤組成物は、３０〜６０℃の範囲内の曇点を有することを特徴とする。
この理由は、かかる曇点が３０℃未満の値となると、非洗浄温度条件下において、洗浄剤組成物用原液に対して所定量の水を添加した段階で相分離してしまうことから、優れた取扱い容易性を得ることが困難になるためである。一方、かかる曇点が６０℃を超えた値となると、洗浄温度条件下においても相分離しないことから、白濁状態となって優れた洗浄性を発揮することが困難になるためである。
したがって、洗浄剤組成物における曇点を３２〜５５℃の範囲内の値とすることが好ましく、３５〜５０℃の範囲内の値とすることがさらに好ましい。
なお、本発明の洗浄剤組成物における曇点は、洗浄剤組成物用原液を構成する第１の有機溶剤、第２の有機溶剤等の種類および配合割合、並びに、洗浄剤組成物用原液に対して添加される水の配合割合により調節することができる。
なお、洗浄剤組成物における曇点は、洗浄剤組成物の外観を観察しながら洗浄剤組成物を徐々に昇温させ、白濁もしくは相分離し始めたときの温度（℃）として測定することができる。
【００８７】
（２）引火点および燃焼点
本発明の洗浄剤組成物は、引火点を有しないか、あるいは、引火点を有する場合であっても、その温度を４０℃以上の値とし、かつ、燃焼点を６０℃以上の値とすることが好ましい。
この理由は、かかる引火点が４０℃以上、かつ、燃焼点が６０℃以上の値となると、消防法上の危険物に該当しなくなるためである。
但し、洗浄剤組成物の引火点および燃焼点が過度に高くなると、使用可能な第１〜第２の有機溶剤等の種類や配合量が過度に制限される場合がある。
したがって、洗浄剤組成物が引火点を有する場合であっても、その温度を４５〜１５０℃の範囲内の値とすることがより好ましく、５０〜１００℃の範囲内の値とすることがさらに好ましい。
また、洗浄剤組成物の燃焼点を７０〜２００℃の範囲内の値とすることがより好ましく、８０〜１５０℃の範囲内の値とすることがさらに好ましい。
なお、洗浄剤組成物の引火点は、参考例１に記載するように、ＪＩＳ  Ｋ  ２２６５−１および４（引火点の求め方）に準じて、測定することができる。
【００８８】
［第３の実施形態］
第３の実施形態は、洗浄剤組成物用原液１００重量部に対して、４０〜１９００重量部の範囲内の水を添加し、３０〜６０℃の範囲内の曇点を有する洗浄剤組成物を準備する洗浄剤組成物準備工程と、得られた洗浄剤組成物を、当該洗浄剤組成物の曇点以上の温度に維持しつつ、白濁状態にて、被洗浄物を洗浄する洗浄工程と、を含む洗浄方法であって、洗浄剤組成物用原液が、有機溶剤として第１および第２の有機溶剤を含むとともに、第１の有機溶剤が、下記一般式（１）で表される化合物であり、第２の有機溶剤が、親水性アミン化合物であるとともに、第２の有機溶剤の配合量を、第１の有機溶剤１００重量部に対して、０．１〜１００重量部の範囲内の値とすることを特徴とする洗浄方法である。
より具体的には、第２の有機溶剤である親水性アミン化合物が、Ｎ，Ｎ−ジエチルイソプロパノールアミンである。
【００８９】
【化１３】
2019031690.tif 000015
【００９０】
（一般式（１）中、Ｒ1〜Ｒ3は、それぞれ独立した置換基であり、Ｒ1は炭素数１〜４のアルキル基であり、Ｒ2はノルマルエチレン基またはイソプロピレン基であり、Ｒ3は炭素数１〜３のアルキル基であり、繰り返し数ｎは１〜３の整数である。）
【００９１】
１．洗浄剤組成物準備工程
洗浄剤組成物準備工程は、洗浄剤組成物用原液１００重量部に対して、４０〜１９００重量部の範囲内の水を添加し、３０〜６０℃の範囲内の曇点を有する洗浄剤組成物を準備する工程である。
なお、洗浄剤組成物準備工程を実施するに際して、公知のミキサーや撹拌装置を用いることが好ましい。
【００９２】
２．洗浄工程
洗浄工程は、得られた洗浄剤組成物を、当該洗浄剤組成物の曇点以上の温度に維持しつつ、白濁状態にて、被洗浄物を洗浄する工程である。
また、洗浄態様としては、特に制限されるものではなく、例えば、浸漬法、搖動法、超音波振動法、シャワー洗浄法、液中ジェット法などの各種態様を採用することができる。
また、洗浄剤組成物をブラシや洗浄ロール等に含浸させたり、付着させたりした状態で、フラックスを洗浄することも好ましい。
なお、洗浄工程を実施するにあたり、より具体的には、後述する洗浄装置を使用することが好ましい。
【００９３】
また、洗浄温度としては、洗浄剤組成物の曇点以上の温度であれば特に制限されないが、通常、３０〜６０℃の範囲内とすることが好ましい。
また、洗浄時間としては、１０秒〜６０分の範囲内とすることが好ましい。
なお、白濁状態を安定的に維持する観点からは、洗浄剤組成物を撹拌状態とすることが好ましい。
より具体的には、プロペラ撹拌装置やマグネットスターラー等を用いて、回転数を３０〜１０００ｒｐｍの範囲として、洗浄剤組成物を撹拌状態とすることが好ましい。
【００９４】
３．リンス工程
本発明の洗浄剤組成物は、洗浄剤組成物用原液に対して、所定量の水を添加してなる構成であるが、優れた乾燥性を有していることから、基本的にリンス工程を省略することができる。
但し、電子部品や基板等の洗浄においては、洗浄剤組成物が残留することにより、電子部品や基板等において電気腐食等が発生する場合もあることから、さらにリンス工程を設けることも好ましい。
この場合、リンス液として、アルコール系溶剤を使用することが好ましい。
この理由は、水と比較して、速く乾燥させることができるとともに、アミン化合物を効果的に除去できるためである。
【００９５】
また、より具体的には、アルコール系溶剤として、メチルアルコール、エチルアルコール、プロピルアルコール、イソプロピルアルコール、ブチルアルコール、イソブチルアルコール、ｔ−ブチルアルコール、ｓ−ブチルアルコール、アミノアルコール、１−メトキシ−２−プロパノール等の一種単独または二種以上のアルコールを使用することが好ましい。
また、これらのアルコールに対して、所定量の水を添加したアルコール系溶剤を使用することが好ましく、より具体的には、全体量に対して４０〜７０重量％になるように水を添加したアルコール系溶剤を使用することが好ましい。
なお、リンス条件としては、５〜４０℃、１秒〜３０分の範囲内とし、さらに、二段階でリンス処理を実施することがより好ましい。この理由は、界面活性剤やアミン化合物の残渣についても、より少なくするためである。
ただし、ハンダ処理装置等に付着したフラックスを除去する場合には、残留した界面活性剤等による電子部品や基板等の電気特性劣化の問題が極微であるため、かかるリンス工程を省略化したり、簡略化したりすることができる。
【００９６】
４．洗浄装置
洗浄剤組成物を用いた洗浄方法を実施するにあたり、使用するフラックスの洗浄装置１０としては、図１（ａ）に示すように、例えば、超音波洗浄するための超音波振動子２９を備えた洗浄槽１２と、リンス槽１４と、乾燥槽１６と、を備えていることが好ましい。
より具体的には、洗浄槽１２は、筐体１２ａと、被洗浄物２３の収容部２０と、超音波振動子２９と、洗浄液の攪拌装置（図示せず）と、サーモスタット付きのヒーター１９と、から構成してあり、攪拌および循環している洗浄液２１に対して、超音波振動子２９が、超音波振動を付与し、被洗浄物２３を効率的に洗浄することが好ましい。
【００９７】
また、図１（ｂ）に示すように、洗浄槽１２は、筐体１２ａと、被洗浄物２３の収容部２０と、超音波振動子２９と、洗浄液の攪拌装置（図示せず）と、サーモスタット付きのヒーター１９と、洗浄液２１を循環させるための循環路２２と、から構成することも好ましい。すなわち、ポンプ２４によって、一部汚染された洗浄液２１を循環させることができ、その途中の循環路２２に設けてあるフィルタ２８や、塩形成化合物収容部２６において、洗浄液２１を再生することができる。
【００９８】
次いで、リンス槽１４において、被洗浄物２３からフラックス等をさらに除去するとともに、洗浄液２１を除去し、さらに乾燥槽１６においては、リンス液１５等を蒸発させて、完全に除去することが好ましい。
すなわち、このような洗浄装置１０を使用することにより、本発明の洗浄剤組成物を用いて、ハンダ処理された電子部品や基板を洗浄し、それらに付着しているフラックスを効率的に除去することができる。
【００９９】
５．被洗浄物
洗浄剤組成物を用いた洗浄方法を実施するにあたり、洗浄剤組成物を適用する被洗浄物の種類は、特に制限されるものではないが、ハンダ処理された電子部品や基板はもちろんのこと、ハンダ処理されていなくとも、フラックスの影響がある部品等も好適に使用することができる。したがって、例えば、プリント回路板、セラミック配線基板、半導体素子（ＢＧＡ、ＣＳＰ、ＰＧＡ、ＬＧＡ等の半導体部品を含む。）、半導体素子搭載基板、バンプ付きＴＡＢテープ、バンプ無しＴＡＢテープ、半導体素子搭載ＴＡＢテープ、リードフレーム、コンデンサ、および抵抗等が具体的に挙げられる。
【０１００】
そして、これらの被洗浄物において、使用されるフラックスの種類は特に制限されるものではないが、例えば、通常のハンダフラックスはもちろんのこと、低ＶＯＣフラックス、鉛フリーハンダ用フラックス、または高融点ハンダフラックス、あるいは無洗浄ハンダフラックスであることが好ましい。すなわち、これらのハンダフラックスは、通常、ロジンを主成分としており、それに、有機酸塩、グリシジルエーテル化合物、オキシ酸、カルボン酸（ジカルボン酸含む。）、アニリドおよび熱硬化樹脂（例えば、エポキシ樹脂や熱硬化系アクリル樹脂）の少なくとも一つの化合物が添加してある場合が多いためである。したがって、本発明の洗浄剤組成物であれば、通常のハンダフラックスはもちろんのこと、これらのハンダフラックスに対しても、優れた洗浄性を示すことができる。
【０１０１】
なお、フラックスが添加される通常のハンダ、高融点ハンダ、鉛フリーハンダ、さらには無洗浄ハンダ等の種類についても特に制限されるものではないが、例えば、Ｓｎ−Ａｇ系、Ｓｎ−Ａｇ−Ｃｕ系、Ｓｎ−Ｃｕ系、Ｓｎ−Ｓｂ系、Ｓｎ−Ｚｎ系、Ｓｎ−Ｂｉ系、Ｐｂ−Ｓｎ系等が代表的である。
【実施例】
【０１０２】
以下、実施例を挙げて、本発明を詳細に説明する。但し、言うまでもなく、本発明は、以下の記載に何ら制限されるものではない。
【０１０３】
［参考例１］
１．洗浄剤組成物用原液の作成
容器内に、第１の有機溶剤としての下記式（４）で表されるジプロピレングリコールジメチルエーテル（ＤＭＦＤＧ）（沸点：１７１℃、水への溶解度：３７重量％、ＳＰ値：８．２、引火点：６５℃）１００重量部と、第２の有機溶剤としてのＮ−エチルエタノールアミン（ＭＥＭ）（沸点：１６９℃、水への溶解度：１００重量％以上、ＳＰ値：１１．４、引火点：７１℃）７．５重量部とを収容し、撹拌装置としてのミキサーを用いて、均一になるよう十分に撹拌して、参考例１の洗浄剤組成物用原液とした。
なお、表１に、参考例１の洗浄剤組成物用原液の配合組成を示すが、組成成分の名称を略す場合には、上述したカッコ内の略語をもって表記する（以下、他の参考例、実施例、比較例においても同様。）。
【０１０４】
【化１４】
2019031690.tif 000016
【０１０５】
２．洗浄剤組成物の作成
容器内に、得られた洗浄剤組成物用原液を１００重量部と、水２３３．３重量部とを収容し、撹拌装置としてのミキサーを用いて十分に撹拌して、洗浄剤組成物とした。
【０１０６】
３．評価
（１）曇点
得られた洗浄剤組成物１００ｇを、容量２００ｍｌのビーカー内部に収容した後、温度を２０℃に維持した。
次いで、洗浄剤組成物の外観を観察しながら洗浄剤組成物を徐々に昇温させ、白濁もしくは相分離し始めた時の温度（℃）を、洗浄剤組成物の曇点として測定した。得られた結果を表１に示す。
【０１０７】
（２）引火点
得られた洗浄剤組成物用原液および洗浄剤組成物の引火点を、ＪＩＳ  Ｋ２２６５−１：２００７（引火点測定法（タグ密閉法））およびＪＩＳ  Ｋ２２６５−４：２００７（引火点測定法）クリーブランド開放法））に準じて、測定した。得られた結果を表１に示す。
【０１０８】
（３）洗浄性評価
ＪＩＳ２型のくし型基板に対して、メタルマスクを介して、市販の鉛フリーハンダペーストとしてのエコソルダーＭ７０５−ＧＲＮ３６０−Ｋ２−Ｖ（千住金属工業（株）製）を、印刷塗布した。
次いで、ハンダペーストを印刷塗布したくし型基板を、２４０℃に温度維持されたカバー付きホットプレートに載置し、市販ハンダペーストをリフローさせ、テストピースとした。
一方、得られた洗浄剤組成物２００ｇを、容量３００ｍｌのビーカー内部に収容した後、温度５０℃に維持した。
次いで、複数のテストピースを、洗浄剤組成物入りビーカーの内部に収容し、その状態で、マグネチックスターラーを回転させて、洗浄剤組成物を白濁状態としながら、洗浄時間を変えて、ハンダペーストに対する洗浄試験を行った。
すなわち、所定の洗浄時間ごとに、マグネチックスターラーの回転を止めて、いずれかのテストピースを洗浄剤から取り出し、１００℃に保持された循環オーブンを用いて、１０分間乾燥を行った。
最後に、乾燥させたテストピースを循環オーブンから取り出し、実体顕微鏡（倍率４０）を用いて表面観察し、ハンダペーストを完全に洗浄することが可能な時間（洗浄時間）を測定するとともに、以下の基準に照らして洗浄性を評価した。得られた結果を表１に示す。
◎：洗浄時間が７分未満である。
○：洗浄時間が７〜１０分未満である。
△：洗浄時間が１０〜３０分未満である。
×：洗浄時間が３０分以上である。
【０１０９】
また、市販の鉛フリーハンダペーストとして、エコソルダーＳ７０Ｇ  Ｔｙｐｅ４（千住金属工業（株）製）、ＬＦ−２０４−ＧＤ１４Ｓ（６）（タムラ製作所（株）製）、ＳＮ１００Ｃ  Ｐ５０２  Ｄ４（日本スペリア（株）製）を用いた場合と、市販のハロゲンフリーハンダペーストとして、ＬＦＭ−４８Ｗ／Ｕ  ＮＨ（Ｄ）（日本アルミット（株）製）を用いた場合についても、同様に洗浄性の評価を行った。得られた結果を表１に示す。
なお、表１においては、エコソルダーＭ７０５−ＧＲＮ３６０−Ｋ２−Ｖを「Ｍ７０５」、エコソルダーＳ７０Ｇ  Ｔｙｐｅ４を「Ｓ７０Ｇ」、ＬＦ−２０４−ＧＤ１４Ｓ（６）を「ＬＦ−２０４」、ＳＮ１００Ｃ  Ｐ５０２  Ｄ４を「ＳＮ１００Ｃ」、ＬＦＭ−４８Ｗ／Ｕ  ＮＨ（Ｄ）を「ＬＦＭ」と表記する。
【０１１０】
（４）回収率の評価
また、得られた洗浄剤組成物５０００ｇを、気液平衡を考慮して独自に作成した減圧蒸留装置を用いて、減圧値−０．０８ＭＰａ、１００℃の条件にて、留出が停止するまで、蒸留再生を行った。
そして、その際の洗浄剤組成物用原液の回収率を求め、以下の基準に照らして洗浄剤組成物の再生効率の評価として、回収率を評価した。得られた結果を表１に示す。
◎：回収率が９０重量％を超えて、１００重量％以下の値である。
○：回収率が７０重量％を超えて、９０重量％以下の値である。
△：回収率が５０重量％を超えて、７０重量％以下の値である。
×：回収率が５０重量％以下の値である。
【０１１１】
（５）乾燥性評価
得られた洗浄剤組成物２００ｇを、容量３００ｍｌのビーカー内部に収容した後、温度を５０℃に維持した。
次いで、ガラスエポキシ基板を、２００ｇの洗浄剤組成物入りビーカーの内部に収容し、その状態で、ビーカー内のマグネチックスターラーを回転させて、洗浄剤組成物を白濁状態としながら３０分の洗浄試験を行った。
次いで、マグネチックスターラーの回転を止めて、ガラスエポキシ基板を洗浄剤から取り出し、１００℃に保持された循環オーブンを用いて、所定時間の乾燥を行った。
その後、乾燥させたガラスエポキシ基板を循環オーブンから取り出し、目視により表面観察し、以下の基準に照らして、洗浄剤組成物の乾燥性評価を行った。得られた結果を表１に示す。
◎：５分以内で、乾燥可能である。
○：１０分以内で、乾燥可能である。
△：１０分間の乾燥で、液残りが少々ある。
×：１０分間の乾燥で、多くの液残りがある。
【０１１２】
（６）臭気の評価
得られた洗浄剤組成物２００ｇを、容量３００ｍｌのビーカー内部に収容した後、温度を５０℃に維持した。
ビーカー内のマグネチックスターラーを回転させて、洗浄剤組成物を白濁状態としながら、１０人のパネラーによりそれぞれの試料の臭気について官能評価を行い、１０人の総合評価を以下の基準に照らして、洗浄剤組成物の臭気の評価を行った。得られた結果を表１に示す。
◎：臭気が少なく、作業上問題が無い。
○：臭気がやや気になるが、作業上問題が無い。
△：かなり臭気が感じられ、作業上問題がある。
×：強い臭気があり、作業上著しく問題がある。
【０１１３】
（７）取扱い容易性
以下の基準に照らして、洗浄剤組成物の取扱い容易性の評価を行った。得られた結果を表１に示す。
◎：室温（３０℃）において、液が分離白濁しないため、保管、貯蔵、サンプリング、液分析等における作業・取扱い上の問題がない。
○：室温（３０℃）において、液が分離白濁し始めるが、保管、貯蔵、サンプリング、液分析等における作業・取扱い上の問題がほとんどない。
△：室温（３０℃）において、液が分離白濁しているため、保管、貯蔵、サンプリング、液分析等における作業・取扱い上の問題が生じる。
×：室温（３０℃）において、液の分離が著しいため、保管、貯蔵、サンプリング、液分析等における作業・取扱い上の問題が著しく生じる。
【０１１４】
［参考例２］
参考例２では、第２の有機溶剤の配合量を１３．２重量部に変えるとともに、第３の有機溶剤として下記式（５）で表されるエチレングリコールモノイソブチルエーテル（ｉＢＧ）（沸点：１６１℃、水への溶解度：１００重量％以上、ＳＰ値：９．１、引火点：５７℃）を７５．５重量部配合したほかは、参考例１と同様に洗浄剤組成物用原液を作成し、評価した。
また、得られた洗浄剤組成物用原液１００重量部に対して、水を１５０重量部配合したほかは、参考例１と同様に洗浄剤組成物を作成し、評価した。得られた結果を表１に示す。
【０１１５】
【化１５】
2019031690.tif 000017
【０１１６】
［参考例３］
参考例３では、第２の有機溶剤の配合量を１１．１重量部に変えるとともに、第３の有機溶剤として式（５）で表されるエチレングリコールモノイソブチルエーテル（ｉＢＧ）を１００重量部配合し、さらに水を１１．１重量部配合したほかは、参考例１と同様に洗浄剤組成物用原液を作成し、評価した。
また、得られた洗浄剤組成物用原液１００重量部に対して、水を１５０重量部配合したほかは、参考例１と同様に洗浄剤組成物を作成し、評価した。得られた結果を表１に示す。
また、参考例３の洗浄剤組成物を２０℃の環境下に放置した際の外観を示す写真を図２（ａ）に示し、５０℃の環境下に放置した際の外観を示す写真を図２（ｂ）に示す。
【０１１７】
［参考例４］
参考例４では、第２の有機溶剤としてＮ−メチルエタノールアミン（ＭＭＡ）（沸点：１６０℃、水への溶解度：１００重量％以上、ＳＰ値：１２．０、引火点：７４℃）を１１．７重量部配合し、第３の有機溶剤として下記式（６）で表される３−メトキシ−３−メチル−１−ブタノール（ＭＭＢ）（沸点：１７４℃、水への溶解度：１００重量％以上、ＳＰ値：１０．５、引火点：６８℃）を３８．３重量部および下記式（７）で表されるプロピレングリコールモノブチルエーテル（ＢＦＧ）（沸点：１７１℃、水への溶解度：６．４重量％、ＳＰ値：９．０、引火点：６２℃）を１６．７重量部配合したほかは、参考例１と同様に洗浄剤組成物用原液を作成し、評価した。
また、得られた洗浄剤組成物用原液１００重量部に対して、水を６６．７重量部配合したほかは、参考例１と同様に洗浄剤組成物を作成し、評価した。得られた結果を表１に示す。
【０１１８】
【化１６】
2019031690.tif 000018
【０１１９】
【化１７】
2019031690.tif 000019
【０１２０】
［参考例５］
参考例５では、第２の有機溶剤の配合量を１１．１重量部に変えるとともに、第３の有機溶剤として式（５）で表されるエチレングリコールモノイソブチルエーテル（ｉＢＧ）を４７．６重量部配合したほかは、参考例１と同様に洗浄剤組成物用原液を作成し、評価した。
また、得られた洗浄剤組成物用原液１００重量部に対して、水を４００重量部配合した他は、参考例１と同様に洗浄剤組成物を作成し、評価した。得られた結果を表１に示す。
【０１２１】
［参考例６］
参考例６では、第１の有機溶剤として下記式（８）で表されるジエチレングリコールジエチルエーテル（ＤＥＤＧ）（沸点：１８９℃、水への溶解度：１００重量％以上、ＳＰ値：８．９、引火点:７０℃）を５０重量部および式（４）で表されるジプロピレングリコールジメチルエーテル（ＤＭＦＤＧ）を５０重量部配合し、第２の有機溶剤としてＮ−メチルエタノールアミン（ＭＭＡ）を２重量部配合したほかは、参考例１と同様に洗浄剤組成物用原液および洗浄剤組成物を作成し、評価した。得られた結果を表１に示す。
【０１２２】
【化１８】
2019031690.tif 000020
【０１２３】
［参考例７］
参考例７では、第２の有機溶剤の配合量を１０重量部に変えるとともに、第３の有機溶剤として式（７）で表されるプロピレングリコールモノブチルエーテル（ＢＦＧ）を９０重量部配合したほかは、参考例１と同様に洗浄剤組成物用原液を作成し、評価した。
また、得られた洗浄剤組成物用原液１００重量部に対して、水を９００重量部配合したほかは、参考例１と同様に洗浄剤組成物を作成し、評価した。得られた結果を表１に示す。
【０１２４】
［参考例８］
参考例８では、第２の有機溶剤の配合量を５０重量部に変えるとともに、第３の有機溶剤として下記式（９）で表されるプロピレングリコールモノプロピルエーテル（ＰＦＧ）（沸点：１５０℃、水への溶解度：１００重量％以上、ＳＰ値：９．６、引火点：４８℃）を１００重量部配合したほかは、参考例１と同様に洗浄剤組成物用原液を作成し、評価した。
また、得られた洗浄剤組成物用原液１００重量部に対して、水を３００重量部配合したほかは、参考例１と同様に洗浄剤組成物を作成し、評価した。得られた結果を表１に示す。
【０１２５】
【化１９】
2019031690.tif 000021
【０１２６】
［実施例９］
実施例９では、第１の有機溶剤を式（８）で表されるジエチレングリコールジエチルエーテル（ＤＥＤＧ）に変えるとともに、第２の有機溶剤としてＮ，Ｎ−ジエチルイソプロパノールアミン（２ＦＡ）（沸点：１５９℃、水への溶解度：１００重量％以上、ＳＰ値：１０．３、引火点：４４℃）を７．５重量部配合したほかは、参考例１と同様に洗浄剤組成物用原液および洗浄剤組成物を作成し、評価した。得られた結果を表１に示す。
【０１２７】
［参考例１０］
参考例１０では、第２の有機溶剤の配合量を２０重量部に変えるとともに、第３の有機溶剤として式（５）で表されるエチレングリコールモノイソブチルエーテル（ｉＢＧ）を１５１．４重量部配合し、さらに、その他の有機溶剤として沸点が１９０℃を超えた値であるＮ−メチルピロリドン（ＮＭＰ）（沸点：２０４℃、水への溶解度：１００重量％以上、ＳＰ値：１１．２、引火点：９１℃）を１４．３重量部配合したほかは、参考例１と同様に洗浄剤組成物用原液および洗浄剤組成物を作成し、評価した。得られた結果を表１に示す。
【０１２８】
［比較例１］
比較例１では、第１の有機溶剤および第２の有機溶剤を用いず、第３の有機溶剤としての式（９）で表されるプロピルプロピレングリコール（ＰＦＧ）単体を用いて洗浄剤組成物用原液としたほかは、参考例１と同様に洗浄剤組成物用原液および洗浄剤組成物を作成し、評価した。得られた結果を表１に示す。
【０１２９】
［比較例２］
比較例２では、第１の有機溶剤を用いず、第２の有機溶剤の配合量を１５重量部に変えるとともに、沸点が１９０℃を超えた値であるその他の有機溶剤として下記式（１０）で表されるジエチレングリコールモノヘキシルエーテル（ＨｅＤＧ）（沸点：２５９℃、水への溶解度：１００重量％以上、ＳＰ値：９．７、引火点：１４１℃）を３５重量部および第３の有機溶剤として下記式（１１）で表されるジエチレングリコールモノブチルエーテル（ＢＤＧ）（沸点：２３１℃、水への溶解度：１００重量％以上、ＳＰ値：９．５、引火点：１２０℃）を６３．５重量部配合したほかは、参考例１と同様に洗浄剤組成物用原液および洗浄剤組成物を作成し、評価した。得られた結果を表１に示す。
【０１３０】
【化２０】
2019031690.tif 000022
【０１３１】
【化２１】
2019031690.tif 000023
【０１３２】
［比較例３］
比較例３では、第１の有機溶剤を用いず、第２の有機溶剤の配合量を６．７重量部に変えるとともに、第３の有機溶剤として式（７）で表されるプロピレングリコールモノブチルエーテル（ＢＦＧ）を１００重量部配合したほかは、参考例１と同様に洗浄剤組成物用原液を作成し、評価した。
また、得られた洗浄剤組成物用原液１００重量部に対して、水を１５０重量部配合したほかは、参考例１と同様に洗浄剤組成物を作成し、評価した。得られた結果を表１に示す。
【０１３３】
［比較例４］
比較例４では、第１の有機溶剤を下記式（１２）で表されるジエチレングリコールジメチルエーテル（ＤＭＤＧ）（沸点：１６２℃、水への溶解度：１００重量％以上、ＳＰ値：８．７、引火点：５６℃）に変えるとともに、第２の有機溶剤の配合量を１重量部に変えたほかは、参考例１と同様に洗浄剤組成物用原液および洗浄剤組成物を作成し、評価した。得られた結果を表１に示す。
【０１３４】
【化２２】
2019031690.tif 000024
【０１３５】
［比較例５］
比較例５では、第１の有機溶剤を用いず、第２の有機溶剤の配合量を１重量部に変えるとともに、その他の有機溶剤として一般式（１）からわずかに外れる化合物である下記式（１３）で表されるテトラエチレングリコールジメチルエーテル（ＭＴＥＭ）（沸点：２７５℃、水への溶解度：１００重量％以上、ＳＰ値：９．８、引火点：１４１℃）を１００重量部配合したほかは、参考例１と同様に洗浄剤組成物用原液を作成し、評価した。
また、得られた洗浄剤組成物用原液１００重量部に対して、水を１５０重量部配合したほかは、参考例１と同様に洗浄剤組成物を作成し、評価した。得られた結果を表１に示す。
【０１３６】
【化２３】
2019031690.tif 000025
【０１３７】
［比較例６］
比較例６では、第２の有機溶剤の配合量を８．４重量部に変えたほかは、参考例１と同様に洗浄剤組成物用原液を作成し、評価した。
また、得られた洗浄剤組成物用原液１００重量部に対して、水を１１．１重量部配合したほかは、参考例１と同様に洗浄剤組成物を作成し、評価した。得られた結果を表１に示す。
また、比較例６の洗浄剤組成物を２０℃の環境下に放置した際の外観を示す写真を図３（ａ）に示し、５０℃の環境下に放置した際の外観を示す写真を図３（ｂ）に示す。
【０１３８】
［比較例７］
比較例７では、第２の有機溶剤の配合量を５重量部に変えたほかは、参考例１と同様に洗浄剤組成物用原液を作成し、評価した。
また、得られた洗浄剤組成物用原液１００重量部に対して、水を４６６１．９重量部配合したほかは、参考例１と同様に洗浄剤組成物を作成し、評価した。得られた結果を表１に示す。
【０１３９】
［比較例８］
比較例８では、第２の有機溶剤の配合量を８．３重量部に変えるとともに、その他の有機溶剤として沸点が１９０℃以下の値であるアニソール（沸点：１５２℃、水への溶解度：１重量％以下、ＳＰ値：９．３、引火点：５２℃）を２３３．３重量部配合したほかは、参考例１と同様に洗浄剤組成物用原液を作成し、評価した。
また、得られた洗浄剤組成物用原液１００重量部に対いて、水を３８７．８重量部配合したほかは、参考例１と同様に洗浄剤組成物を作成し、評価した。得られた結果を表１に示す。
【０１４０】
［比較例９］
比較例９では、第１の有機溶剤を式（８）で表されるジエチレングリコールジエチルエーテル（ＤＥＤＧ）に変えるとともに、第２の有機溶剤を配合せず、さらに、第３の有機溶剤として下記式（１４）で表されるジプロピレングリコールモノメチルエーテル（ＭＦＤＧ）（沸点：１８７℃、水への溶解度：１００重量％以上、ＳＰ値：１０．２、引火点：７６℃）を２３．１重量部配合したほかは、参考例１と同様に洗浄剤組成物用原液を作成し、評価した。
また、得られた洗浄剤組成物用原液１００重量部に対して、水を２５重量部配合したほかは、参考例１と同様に洗浄剤組成物を作成し、評価した。得られた結果を表１に示す。
【０１４１】
【化２４】
2019031690.tif 000026
【０１４２】
【表１】
2019031690.tif 000027
＊洗浄剤組成物用原液における各成分の配合量（重量部）は、第１の有機溶剤を１００重量部としたときの値を示す。
＊洗浄剤組成物用原液における各成分配合量の欄におけるカッコ内に記載した値は、各成分の洗浄剤組成物の全体量に対する重量割合（重量％）を示す。
＊洗浄剤組成物における水の配合量（重量部）は、洗浄剤組成物用原液１００重量部に対して配合した水の配合量を示す。
＊洗浄剤組成物における水の配合量の欄におけるカッコ内に記載した値は、洗浄剤組成物用原液に対して配合した水の、洗浄剤組成物の全体量に対する重量割合（重量％）を示す。
【産業上の利用可能性】
【０１４３】
本発明の洗浄剤組成物用原液によれば、有機溶剤として、所定のジアルキルグリコールエーテル化合物と、親水性アミン化合物とを所定の配合割合で含む洗浄剤組成物用原液であって、所定量の水を添加した場合に所定の範囲の曇点を有することとなる洗浄剤組成物用原液であることから、所定量の水を配合することにより、環境安全性に優れる一方、優れた洗浄性および乾燥性を発揮することができ、かつ、取扱い容易性に優れた洗浄剤組成物を得られるようになった。
よって、本発明の洗浄剤組成物用原液、それを用いてなる洗浄剤組成物および洗浄方法によれば、フラックス残渣やソルダーペースト等の洗浄において、優れた環境安全性が得られつつも、優れた洗浄性および乾燥性を発揮することができ、さらには、優れた取扱い容易性も得ることができる。
したがって、環境問題に配慮しつつ、高信頼性を要求される電子部品や、高周波回路基板の基板等の洗浄が必要な製品おいて、精度よく、かつ、効率的にフラックス残渣を除去できるようになった。
【符号の説明】
【０１４４】
１０：洗浄装置
１２：洗浄槽
１４：リンス槽
１５：リンス液
１６：乾燥槽
２１：洗浄液
２２：循環路
２６：塩形成化合物収容部
２８：フィルタ
２９：超音波振動子
【図１】
2019031690.tif 000033
【図２】
2019031690.tif 000034
【図３】
2019031690.tif 000035